(57)【要約】【課題】容易、かつ均一に化粧水を肌に噴霧させることができ、使用目的に応じた化粧水の交換が容易で、安価でかつ携帯性の向上と利便性を著しく向上することができる化粧水噴霧器具を提供する。【解決手段】ケース１に取り付けたスイッチ３をオン操作することにより電池５の電力が電子回路部６に供給され、電子回路部６の超音波発振回路を駆動して超音波で超音波発振子８を駆動し、超音波発振子８が化粧水カートリッジ７に充填されている化粧水を毛細管現象により浸潤されている霧化口７ｂに振動しながら接触し、浸潤した化粧水が微粒子状となってケース３の噴霧口４から霧状になって、肌にむらなく、均一に噴霧される。【選択図】　図１
0003096966.tif 000002
【実用新案登録請求の範囲】
【請求項１】
外部から操作可能にスイッチが装着され、かつ所定位置に噴霧口を有するケースと、
上記ケース内に収納され、電極が上記ケースの外面に露出されている充電可能の電池と、
化粧水を充填して上記ケース内に着脱自在に収納され、毛細管現象により上記化粧水が浸潤される霧化口を上記噴霧口に対峙するように形成された化粧水カートリッジと、
上記ケースに収納され、上記スイッチのオン操作時に振動して上記霧化口と接触して上記霧化口に浸潤されている上記化粧水を霧状に微粒子化して上記噴霧口から噴霧させる超音波発振子と、
上記ケース内に収納され、上記スイッチのオン操作時に上記電池からの電力が付勢されて超音波発振回路を駆動して超音波で上記超音波発振子を駆動する電子回路部と、
を備えることを特徴とする化粧水噴霧器具。
【請求項２】
上記化粧水カートリッジは、上記ケースから着脱可能にして随時交換可能であることを特徴とする請求項１に記載の化粧水噴霧器具。
【請求項３】
上記電池は、上記ケースとは別体でかつ充電装置を収納した充電台に上記ケースを装着した状態で自動充電されることを特徴とする請求項１に記載の化粧水噴霧器具。
【考案の詳細な説明】
【０００１】
【考案の属する技術分野】
この考案は、ケースに取り付けたスイッチをオン操作することにより、ケース内に着脱自在に収納された化粧水カートリッジから化粧水を容易かつ均一に噴霧状に噴霧することできるようにした化粧水噴霧器具に関する。
【０００２】
【従来の技術】
女性のメークアップベースに不可欠の用品として、一般的にファンデーションを挙げることができる。
このファンデーションのうちパウダファンデーションは、周知のように、所定の化粧品を錬薬状に固形して薄い皿状のケースに収納されており、このパウダファンデーションの使用に際しては、パウダファンデーションをスポンジや指先に付けて顔面に塗るようにして使用するのが普通である。
【０００３】
ところが、近時、ファンデーションを「塗る」タイプから、「吹き付ける」タイプに変換する試みがなされており、その一例として、たとえば、スプレーのように噴霧するタイプのファンデーションが具現化されている。
この種のファンデーションは専用イオナイザーを用いてファンデーション粒子をイオン化して噴霧することにより，イオンを持つ肌にのみ粒子が引き付けられ、均等に肌に付着するようにしたものである。
【０００４】
【考案が解決しようとする課題】
しかしながら、このような噴霧するタイプのファンデーションは、装置がデスクトップタイプのパーソナルコンピュータのように大きな器具であったり、また、使用中にスプレーが出なかったり、あるいは噴霧むらが生じたりして、肌にきれいに塗布されず、実用的でないという課題がある。
【０００５】
一方、別のタイプとしては、手動ポンプを用いた化粧水噴霧器具もあるが、この場合も化粧水の噴霧量が均一でなく、ポンプを押す動作による制限により、化粧水の噴霧方向も限定され、使い勝手が非常に悪いという課題がある。
【０００６】
さらに、圧縮ガスを用いて、化粧水を噴霧する化粧水噴霧器具も知られているが、この圧縮ガスを用いるタイプの化粧水噴霧器具は、単価が高く、異なる化粧水噴霧器具ごとに所持する場合には、経済的に大きな負担となるとともに、航空機などでは、持ち込み制限対象となっており、行楽に所時するには不向きであるとい課題がある。
【０００７】
この考案は、上記従来の課題を解決するためになされたもので、容易、かつ均一に化粧水を肌に噴霧させることができるとともに、使用目的に応じた化粧水の交換も容易にでき、携帯性の向上ならびにコスト的に安価になるなど、使用者の利便性を著しく向上することができる化粧水噴霧器具を提供することを目的とする。
【０００８】
【課題を解決するための手段】
上記目的を達成することにより、この考案の化粧水噴霧器具は、外部から操作可能にスイッチが装着され、かつ所定位置に噴霧口を有するケースと、上記ケース内に収納され、電極が上記ケースの外面に露出されている充電可能の電池と、化粧水を充填して上記ケース内に着脱自在に収納され、毛細管現象により上記化粧水が浸潤される霧化口を上記噴霧口に対峙するように形成された化粧水カートリッジと、上記ケースに収納され、上記スイッチのオン操作時に振動して上記霧化口と接触して上記霧化口に浸潤されている上記化粧水を霧状に微粒子化して上記噴霧口から噴霧させる超音波発振子と、上記ケース内に収納され、上記スイッチのオン操作時に上記電池からの電力が付勢されて超音波発振回路を駆動して超音波で上記超音波発振子を駆動する電子回路部とを備えることを特徴とする。
このように構成することにより、使用に際して、スイッチをオン操作することにより電池の電力が電子回路部に供給され、電子回路部の超音波発振回路を駆動して超音波で超音波発振子を振動させて、化粧水カートリッジの霧化口と接触する。
霧化口には、化粧水カートリッジに充填されている化粧水が毛細管現象により浸潤しており、超音波発振子が霧化口に振動しながら接触することにより化粧水が微粒子状となってケースの噴霧口から霧状になって、顔面など肌にむらなく、均一に　噴霧される。
したがって、容易、かつ均一に化粧水を肌に噴霧させることができるとともに、使用目的に応じた化粧水の交換も容易にででき、携帯性の向上ならびにコスト的に安価になるなど、使用者の利便性を著しく向上することができる。
【０００９】
【考案の実施の形態】
以下，この考案に係る化粧水噴霧器具の実施の形態について図面に基づき説明する。図１は、この考案による第１実施の形態における化粧水噴霧器具の構成を示す縦断面図であり、図２はこの化粧水噴霧器具の正面図である。
この図１、図２の両図おいて、符号１はプラスチック材などの電気的絶縁材で形成されたケースである。
ケース１は図３の化粧水噴霧器具の斜視図、図４の使用状態を示す斜視図からも明らかなように、所定の厚さを有するほぼ楕円板状に形成され、化粧水噴霧器具の使用者２が簡単に把持できるような大きさを有している。
【００１０】
ケース１の正面のほぼ中央部にはスイッチ３が取りつけられているとともに、ケース１の頂部近傍（具体的には、頂部近傍の角部）には、噴霧口４が取りつけられている。
このスイッチ３は、使用者２がケース１の噴霧口４から化粧水を噴射させるときに、オン操作を行うためのもであり、噴霧口４は、化粧水を微粒子化して霧状に噴射するためのものである。
【００１１】
また、ケース１内には、図１からも明らかなように、充電可能の電池５（たとえば、リチウムイオン充電池など）が交換可能に収納されている。
この電池５は、低内部抵抗による超音波出力の安定化に適したものである。この電池５の電極（図示せず）は後述する充電台の充電装置の電極と接触して充電可能なように、ケース１の下部から露出されている。
電池５は、ケース１内に収納されている電子回路部６などの電子回路系全体に電力を供給するための電源である。
【００１２】
ケース１内には、化粧水を充填したほぼ直方体状の化粧水カートリッジ７が電池５の上方部に配置されている。
化粧水カートリッジ７は、図５からも明らかなように、ケース１から着脱可能になっており、化粧水カートリッジ７に充填される化粧水が異なるごとに、あるいは同一化粧水であっても、使用済みの場合には、新たな化粧水カートリッジ７に取り替えることができるようになっている。
さらに、この化粧水カートリッジ７は、図５からも明らかなように、先端部近傍を折り曲げて内径が漸減すように、テーパ状の突起部７ａを一体的に形成し、その突起部７ａの先端部に細孔を設けて霧化口７ｂを形成している。
【００１３】
このように、化粧水カートリッジ７にテーパ状の突起部７ａと霧化口７ｂとを形成することにより、化粧水カートリッジ７に充填されている化粧水が毛細管現象により突起部７ａを通して霧化口７ｂを化粧水により浸潤するようにしている。化粧水カートリッジ７の霧化口７ｂはケース１の噴霧口４と対峙している。
ケース１内において、上記電子回路部６の上方部には、超音波発振子８が配置されている。
この超音波発振子８に化粧水カートリッジ７の霧化口７ｂが接触しており、これにより、超音波発振子８が上記電子回路部６により駆動されて振動すると、超音波発振子８が霧化口７ｂに浸潤されている化粧水を微粒子化し、化粧水が霧状になって噴霧口４から噴射されるようになっている。
【００１４】
図６はこの第１実施の形態における電子回路系全体の構成を示すブロック図である。この図６において、電子回路部６における制御回路６ａには、上記スイッチ３が接続されており、このスイッチ３のオン操作を行うことにより、電子回路系全体に電池８から電力が供給され、電子回路部６が動作状態となるようになっている。
すなわち、電池５の電極は超音波発振回路６ｂ、発振子駆動回路６ｃに接続されており、超音波発振回路６ｂの発振出力は発振子駆動回路６ｃに供給され、発振子駆動回路６ｃは超音波発振回路６ｂの発振出力により駆動されるようになっている。
【００１５】
超音波発振回路６ｂの出力は、上記超音波発振子８に供給されるようになっている。超音波発振子８は超音波発振回路６ｂの出力により、駆動されて超音波で振動し、化粧水カートリッジ７の霧化口７ｂに接触し、霧化口７ｂに浸潤している化粧水を微粒子化し、霧状に変換するようにしている。
また、化粧水噴霧器具のケース１とは別体に充電台９が設けられている。充電台９には、充電装置が収納されている。
この充電装置は、１００Ｖの商用交流電圧を所定の低電圧に降圧した後に整流回路で整流し、かつ平滑回路で平滑して所定の直流電圧（充電電圧）を発生するようになっている。
この整流回路の出力端子（図示せず）が充電台９の表面の露出されるようになっている。
【００１６】
図７は、この充電台９を示す斜視図である。この充電台９は図７に示すように、例えば、箱状に形成され、その上部の中央部に嵌合穴９ａが形成されている。嵌合穴９ａの所定の位置に上記充電装置における整流回路の出力端子が露出されるようにしている。
これにより、嵌合穴９ａに上記ケース１の下部を図８に示すように嵌合させると、ケース１内の電池５の電極端子が接触して、電池の充電が行われるようになっている。
【００１７】
また、図６に示すように、電子回路部６には、電源監視回路６ｄが設けられている。電源監視回路６ｄは、電池５の充電カーブ特性の監視、充電容量の監視、消費電流の監視を行うものである。
電源監視回路６ｄは、これらの監視結果を制御回路６ａに出力するようにしている。
制御回路６ａは、これらの監視結果から電池８の充電の停止、あるいは充電継続などの制御を電源監視回路６ｄに対して行うようになっている。
【００１８】
次に、以上のように構成されたこの考案による第１実施の形態の動作について説明する。まず、あらかじめ使用者２が使用目的に応じた化粧水を化粧水カートリッジ７に充填して、図５に示すように矢印Ａ１方向に、ケース１内に化粧水カートリッジ７を装填しておく。
次いで、化粧水カートリッジ７を装填したケース１を図８に示すように、充電台９の嵌合穴９ａに嵌合させて、充電装置により電池５を自動充電しおく。電池５を自動充電しておくことにより、通常使用時のメンテナンスが容易になる。
この状態で、使用者２が化粧水噴霧器具を使用する場合には、図７に示すように、ケース１を充電台９の嵌合穴９ａから抜き出して、図４に示すように使用者２の指、あるいは体の一部でスイッチ３を押すことにより、スイッチ３をオン動作させる。
【００１９】
これにより電子回路部６に電池５から電力が供給され、制御回路６ａにより超音波発振回路６ｂを駆動制御することにより、超音波発振回路６ｂは発振動作を開始する。
この超音波発振回路６ｂの出力は、発振子駆動回路６ｃに供給され，発振子駆動回路６ｃが駆動され、それにともない超音波発振子８を駆動することにより、超音波発振子８が超音波で振動して、化粧水カートリッジ７の霧化口７ｂに振動しながら接触する。
化粧水カートリッジ７の霧化口７ｂには、あらかじめ化粧水カートリッジ７に充填された化粧水が突起部７ａを通して毛細管現象により浸潤されている。
【００２０】
したがって、超音波発振子８が霧化口７ｂに振動しながら接触することにより、霧化口７ｂにおいて化粧水が微粒子状となって霧状となる。
この霧状の化粧水はケース１の噴霧口４から霧状化粧水１０が使用者２の顔の肌に任意の方向から均一に噴射されて、肌に均一に塗布される。
【００２１】
以上、この考案の第１実施の形態について説明したが、この考案は上記第１実施の形態に限定されるものではなく、その要旨を逸脱しない範囲内で種々の変形が可能である。
【００２２】
【考案の効果】
以上のように、この考案によれば、化粧水カートリッジの霧化口を化粧水カートリッジに充填されている使用目的に応じた化粧水で毛細管現象により浸潤しておき、使用に際してスイッチのオン操作によりケース内の超音波発振子を振動させて、化粧水カートリッジの霧化口と接触させて化粧水を微粒子状にしてケースの噴霧口から霧状に噴射され、顔面などの肌にむらなく、均一に　噴霧されるようにしたので、容易、かつ均一に化粧水を肌に噴霧させて塗布することができるとともに、使用目的に応じた化粧水の交換も容易にでき、携帯性の向上ならびにコスト的に安価になるなど、使用者の利便性を著しく向上することができる。
【図面の簡単な説明】
【図１】この考案による化粧水噴霧器具の第１実施の形態の構成を示す縦断面図である。
【図２】この考案による化粧水噴霧器具の第１実施の形態の構成を示す正面図である。
【図３】この考案による化粧水噴霧器具の第１実施の形態の構成を示す斜視図である。
【図４】この考案による化粧水噴霧器具の第１実施の形態の使用状態を示す斜視図である。
【図５】この考案による化粧水噴霧器具における化粧水カートリッジをケースに装着する状態を示す斜視図である。
【図６】この考案による化粧水噴霧器具の第１実施の形態における電子回路系全体の構成を示す示すブロック図である。
【図７】この考案による化粧水噴霧器具の第１実施の形態における化粧水噴霧器具を充電台に載置する前の非充電時の状態を示す分解斜視図である。
【図８】この考案による化粧水噴霧器具の第１実施の形態における化粧水噴霧器具を充電台に載置して電池の充電時の状態を示す斜視図である。
【符号の説明】
１　ケース
２　使用者
３　スイッチ
４　噴霧口
５　電池
６　電子回路部
６ａ　制御回路
６ｂ　超音波発振回路
６ｃ　発振子駆動回路
６ｄ　電源監視回路
７　化粧水カートリッジ
７ａ　突起部
７ｂ　霧化口
８　超音波発振子
９　充電台
９ａ　嵌合部
１０　霧状化粧水
【図１】
0003096966.tif 000003
【図２】
0003096966.tif 000004
【図３】
0003096966.tif 000005
【図４】
0003096966.tif 000006
【図５】
0003096966.tif 000007
【図６】
0003096966.tif 000008
【図７】
0003096966.tif 000009
【図８】
0003096966.tif 000010